【事件の表示】
　特許第３２５８６５５号「ビデオカメラ装置」の請求項１に係る特許に対する特許異議の申立てについて、次のとおり決定する。
【結　論】
　訂正を認める。
　特許第３２５８６５５号の請求項１に係る特許を維持する。
【理　由】
１． 手続の経緯
　特許第３２５８６５５号の請求項１に係る発明は、平成１年３月３０日に特許出願され、平成１３年１２月７日にその特許権の設定登録がなされ、その後、小塚浩より特許異議の申立てがなされ、取消しの理由が通知され、その指定期間内である平成１４年１２月２８日に訂正請求がなされ、該訂正請求書は取り下げられ、平成１５年２月１７日に訂正請求がなされたものである。
　
２． 訂正の適否についての判断
（１） 訂正の内容
ア　訂正事項ａ
　請求項１の前段において、「生成されたホワイトバランス補正信号によつて」を加入する。
イ　訂正事項ｂ
　請求項１の中段において、「分光特性によるホワイトバランス誤差を修正する」を加入する。
ウ　訂正事項ｃ
　請求項１の中段及び後段の２箇所において、「ホワイトバランス補正データ」を、「ホワイトバランス修正データ」と訂正する。
エ　訂正事項ｄ
　請求項１の後段において、
(d1)「赤色修正データ及び青色修正データ」を、「赤色修正データ、緑色修正データ及び青色修正データ」と訂正し（２箇所）、
(d2)「上記ホワイトバランス調整手段を制御することにより」の前に、「異常判定手段の基準信号を修正して」を加入し、
(d3)「制御手段を有する」を、「制御手段を有し、」と訂正すると共に、その後に、「上記ホワイトバランス調整手段は上記信号処理手段のビデオ信号が上記修正された基準信号に基づいて異常になつたときホワイトバランス調整動作を中断する」を加入する。
オ　訂正事項ｅ
　「Ｅ問題点を解決するための手段」の項及び「Ｆ作用」の項を、次のように訂正する。
「Ｅ問題点を解決するための手段
　かかる問題点を解決するため本発明においては、入射光を受ける交換レンズ部２８Ｘと、ビデオカメラ本体２７と、ビデオカメラ本体２７に設けられ、交換レンズ部２８Ｘから入射する入射光に応答してビデオ信号を送出する信号処理手段（１、３、４）と、信号処理手段（１、３、４）の信号に基づいて生成されたホワイトバランス補正信号によつてホワイトバランスを調整するホワイトバランス調整手段７とを有するビデオカメラ装置５０において、ビデオカメラ本体２７に交換自在に装着できる複数の交換レンズ部２８Ｘは自己のレンズについての分光特性によるホワイトバランス誤差を修正するホワイトバランス修正データを記憶するホワイトバランス修正データメモリ手段２２Ｘを有し、ビデオカメラ本体２７は、複数の交換レンズ部２８Ｘの１つがビデオカメラ本体２７に装着されたとき、ホワイトバランス修正データメモリ手段２２Ｘに読出しクロツク信号を与えることによりホワイトバランス修正データを読み取つて赤色修正データ、緑色修正データ及び青色修正データを形成し、赤色修正データ、緑色修正データ及び青色修正データによつて異常判定手段１１２の基準信号を修正してホワイトバランス調整手段７を制御することによりビデオ信号のホワイトバランスを調整させる制御手段２３Ｘを有し、ホワイトバランス調整手段７は信号処理手段（１、３、４）のビデオ信号が修正された基準信号に基づいて異常になつたときホワイトバランス調整動作を中断する。
Ｆ作用
　ビデオカメラ本体２７に対して複数機種の交換レンズ部２８Ｘを装着するにつき、交換レンズ部２８Ｘを装着したとき、ホワイトバランス修正データをメモリ手段２２Ｘから読み取つて異常判定手段１１２の基準信号を修正すると共に、ホワイトバランス調整手段７は信号処理手段（１、３、４）のビデオ信号が修正された基準信号に基づいて異常になつたときホワイトバランス調整動作を中断するようにしたことにより、交換レンズ部２８Ｘの構成を簡易化でき、かつビデオカメラ本体側の制御手段２３Ｘをすべての交換レンズ部２８Ｘに対して共通に使用できると共に、装着された交換レンズ部２８Ｘによつて生ずるホワイトバランス誤差を、最適なホワイトバランス修正信号によつて修正した映像信号を送出できるようなビデオカメラ装置５０を容易に実現し得る。」
カ　訂正事項ｆ
　「Ｈ発明の効果」の項を次のように訂正する。
「Ｈ発明の効果
　上述のように本発明によれば、ビデオカメラ本体に対して複数機種の交換レンズ部を装着するにつき、交換レンズ部を装着したとき、交換レンズ部に設けたホワイトバランス修正データメモリ手段に対して読出しクロツク信号を与えることによりホワイトバランス修正データをビデオカメラ本体側に読み取つて異常判定手段の基準信号を修正すると共に、ホワイトバランス調整手段は信号処理手段のビデオ信号が修正された基準信号に基づいて異常になつたときホワイトバランス調整動作を中断するようにしたことにより、交換レンズ部を簡易化でき、かつビデオカメラ本体側の制御手段をすべての交換レンズ部に対して共通に使用できると共に、装着された交換レンズ部によつて生ずるホワイトバランス誤差を、最適なホワイトバランス修正信号によつて修正した映像信号を送出できるようなビデオカメラ装置を容易に実現し得る。」
キ　訂正事項ｇ
　「発明の詳細な説明」の項において、特許掲載公報第２頁３欄１６行及び１８行、同第４頁７欄２９行、３０行及び３１行、並びに同第４頁８欄４９行に、「補正」とあるを、「修正」と訂正する。
ク　訂正事項ｈ
　請求項１の前段に「調節」とあるを、「調整」と訂正する。
　
（２） 訂正の目的の適否、新規事項の有無及び拡張・変更の存否
　訂正事項ａの訂正は、請求項１の「ホワイトバランス調整手段」について、訂正前においては『閉ループ型のホワイトバランス調整回路及び開ループ型のホワイトバランス調整回路を含む』ように構成されていたものを、『閉ループ型のホワイトバランス調整回路に特定した』ものであり、願書に添付した明細書第１９頁１２行〜第２３頁３行の「第５実施例」として記載されている（特許掲載公報第４頁８欄８行〜第５頁９欄１８行）から、訂正事項ａの訂正は、「特許請求の範囲の減縮」に該当するものであり、
　訂正事項ｂの訂正は、『ホワイトバランス修正データが、交換レンズ部の自己のレンズについての固有の分光特性によるホワイトバランス誤差を、直接に、修正するものであることを特定する』ために加入されたもので、訂正前のホワイトバランス修正データが広く各交換レンズ部の変更に基づくホワイトバランスの変化を修正するものであつたのに対して、訂正事項ｂの訂正をすることにより、当該変化がレンズ固有の分光特性によつて生じたものである（すなわちホワイトバランス修正データはホワイトバランスの誤差である）点に原因を限定しており、また、この訂正事項ｂの訂正内容は、願書に添付した明細書第２２頁１３行〜第２３頁３行（特許掲載公報第５頁９欄９〜１８行）に記載されているから、特許請求の範囲を減縮に該当するものであり、
　訂正事項ｃの訂正は、閉ループ型のホワイトバランス調整回路の機能として、『ビデオカメラ本体側に搭載されたホワイトバランス調整手段が、信号処理手段の信号に基づいて生成されたホワイトバランス補正信号によつてホワイトバランスを調整する』のに対して、『交換レンズ部側のホワイトバランス修正データメモリ手段に記憶されているデータが、ホワイトバランス修正データであつて、当該ホワイトバランス修正データメモリ手段から読み出したホワイトバランス修正データによつてホワイトバランス調整手段の調整動作を修正する』ことを明りようにしようとしたものであり、ホワイトバランス修正データメモリ手段から読み出したホワイトバランス修正データによつて修正動作をする点については、願書に添付した明細書第２２頁４行〜第２３頁３行（特許掲載公報第５頁９欄２〜１８行）に記載があるから「明りようでない記載の釈明」に該当し、
　訂正事項(d1)の訂正は、第５図の実施例の構成に沿うように、制御手段において、読み取つた「ホワイトバランス修正データ」に基づいて形成する修正データは「赤色修正データ」及び「青色修正データ」だけではなく、「緑色修正データ」をも含むものであることを新たに特定したものであり、また、訂正事項(d2)の訂正は、形成した「赤色修正データ」、「緑色修正データ」及び「青色修正データ」によつて修正する対象が「異常判定手段の基準信号」であることを新たに特定したものであり、さらに、訂正事項(d3)の訂正は、「ホワイトバランス調整手段」は「信号処理手段のビデオ信号が、修正された基準信号に基づいて異常になつたとき、ホワイトバランス調整動作を中断する」ような動作をするものであることを、新たに特定したものであり、この訂正事項(d1)、(d2)及び(d3)の訂正は、いずれも新たな要件を付加したものであり、願書に添付した明細書第２１頁１行〜第２３頁３行（特許掲載公報第４頁８欄３２行〜第５頁９欄１８行）に記載されているものであるから、「特許請求の範囲の減縮」に該当し、
　訂正事項ｅ及びｆの訂正は、上記訂正事項ａないしｄ及びｈによる訂正に基づいて、「問題点を解決するための手段」の項、「作用」の項及び「発明の効果」の項の記載を整合させるために、訂正をしたものであり、「明りようでない記載の釈明」に該当し、
　訂正事項ｇの訂正は、上記訂正事項ｃに整合させるためのもので、「明りようでない記載の釈明」に該当し、
　訂正事項hの訂正は、「ホワイトバランス調整手段」に整合させるものであるから、「明りようでない記載の釈明」に該当し、
　いずれも、新規事項の追加に該当せず、実質的に特許請求の範囲を拡張又は変更するものではない。
　
（３） むすび
　したがって、上記訂正は、特許法第１２０条の４第３項において準用する平成６年法律第１１６号による改正前の特許法第１２６条第１項ただし書き、第２項及び第３項の規定に適合するので、当該訂正を認める。
　
３． 特許異議申立てについての判断
（１） 申立ての理由の概要
　申立人小塚浩は、請求項１に係る発明は、甲第１号証（特開昭６２−６１４８７号公報）、甲第２号証（特開昭６１−２６７４７７号公報）、甲第３号証（特開昭５９−８４２２８号公報）をもとに容易に発明をすることができたものであり、特許法第２９条第２項の規定により、特許を受けることができないものであるから、特許を取り消すべきと主張している。
　
（２） 本件の請求項１に係る発明
　上記２．で示したように上記訂正が認められるから、本件の請求項１に係る発明（以下、「本件発明」という。）は、上記訂正請求に係る訂正明細書の特許請求の範囲の請求項１に記載された事項により特定される次のとおりのものである。
「【請求項１】
　入射光を受ける交換レンズ部と、ビデオカメラ本体と、上記ビデオカメラ本体に設けられ、上記交換レンズ部から入射する入射光に応答してビデオ信号を送出する信号処理手段と、上記信号処理手段の信号に基づいて生成されたホワイトバランス補正信号によつてホワイトバランスを調整するホワイトバランス調整手段とを有するビデオカメラ装置において、
　上記ビデオカメラ本体に交換自在に装着できる複数の上記交換レンズ部は自己のレンズについての分光特性によるホワイトバランス誤差を修正するホワイトバランス修正データを記憶するホワイトバランス修正データメモリ手段を有し、
　上記ビデオカメラ本体は、上記複数の交換レンズ部の１つが上記ビデオカメラ本体に装着されたとき、上記ホワイトバランス修正データメモリ手段に読出しクロツク信号を与えることにより上記ホワイトバランス修正データを読み取つて赤色修正データ、緑色修正データ及び青色修正データを形成し、上記赤色修正データ、緑色修正データ及び青色修正データによつて異常判定手段の基準信号を修正して上記ホワイトバランス調整手段を制御することにより上記ビデオ信号のホワイトバランスを調整させる制御手段を有し、
　上記ホワイトバランス調整手段は上記信号処理手段のビデオ信号が上記修正された基準信号に基づいて異常になつたときホワイトバランス調整動作を中断する
　ことを特徴とするビデオカメラ装置。」
　
（３） 刊行物等
　特許異議申立人が証拠として提示した刊行物１乃至３には、それぞれ、以下の点が記載されている。
ア．刊行物１：甲第１号証（特開昭６２−６１４８７号公報）
（ア）「本発明は、カラー撮像信号のホワイトバランスを調整するための調整手段を備えたビデオカメラ及び該ビデオカメラに対して着脱可能な交換レンズに関する。・・・（中略）・・・従来、ビデオカメラなどにおいて、カラー撮像信号のホワイトバランスは一般に使用されるレンズの分光特性のうち最も標準的なレンズの分光特性を設定して該設定された分光特性と被写体からの光による色温度情報に基づいて調整されてきた。・・・（中略）・・・しかしながら、従来のレンズ交換可能なビデオカメラでは、使用レンズにより分光特性が異なるので、標準的なレンズの分光特性を設定して被写体からの色温度情報によりホワイトバランスを調整しても、実際に使用する交換レンズによっては前記標準的なレンズと分光特性が大きく異なり、同じ被写体でもホワイトバランス調整がうまく行えないという欠点があった。本発明は、上述のような欠点を除去し、どのような交換レンズを使用しても良好なホワイトバランス調整が行えるレンズ交換可能な（ビデオカメラ）及びこのような（ビデオカメラ）に適した交換レンズを提供することを目的とする。」（１頁左下欄１８行〜２頁左上欄１行）
（イ）「交換レンズ側に設けたレンズの分光特性に応じた情報を記憶する記憶手段が、ビデオカメラ本体側により読み出され、この読み出された出力に応じてホワイトバランス調整手段によりカラー撮像信号のホワイトバランスが調整される。従って、使用する交換レンズ毎に良好なホワイトバランス調節を実行することが可能となる。・・・（中略）・・・第１図は本発明の一実施例のビデオカメラのブロック図である。第１図において１は撮影レンズの分光特性に相応した色情報を記憶した撮影レンズ、２は撮影レンズ１を介して入射する画像を電気信号に変換する撮像素子、３，４はそれぞれ撮像素子２から出力された赤信号、青信号を増幅するＲアンプ、Ｂアンプ、５は光源の色温度を検知する自動追尾式ホワイト・バランス用のセンサで、該センサは撮像装置の周囲の光を無彩色のフィルタを介して平均化して受光する様に配置されている。６はレンズ１とホワイト・バランス用のセンサ５から送られてくるデータをもとにＲアンプ３Ｂアンプ４のゲインを制御するデジタル値の制御電圧値ＤＲ／Ｇ、ＤＢ／Ｇを出力するシステム・コントローラ。７は、システム・コントローラ６で得られたデイジタルの制御電圧値ＤＲ／Ｇ、ＤＢ／Ｇをアナログ電圧ＶＲ／Ｇ、ＶＢ／Ｇに変換するＤ／Ａコンバータ。８は、Ｒアンプ、Ｂアンプにより色バランスが調整された信号Ｒ’、Ｇ、Ｂ’を所定の信号にする信号処理系である。次に第２図は第１図に示した実施例における撮影レンズ１とカメラ本体２との通信方法を説明する為の撮影レンズ１とカメラ本体２とのブロック図である。」（２頁左上欄１７行〜左下欄８行）
（ウ）「次に撮影レンズ１のＲＯＭ　Ｌ３に格納されているレンズ１の種々の情報について第３図を用いて説明する。第３図においてカメラ２から撮影レンズ１にデータ端子Ｃ２２，Ｌ２２を介して送られるコマンド、及びコマンドのコード、コマンドの内容、撮影レンズ１から送られるデータのバイト数、及びバイトに割り当てられたデータの種類を示している。尚データの内容の欄に“←”で示してあるデータは内容の欄に示した内容と同様であることを示している。ここで、Test Bv max として示したコマンドによって読み出されるデータは現在の絞り値から最小絞り値まで何段絞ることが出来るかを２バイトで示すデータであり、夫々のバイトには１／４段精度を補償出来る最小絞り値、１／２段精度を補償出来る最小絞り値まで何段絞ることが出来るかを示すデータが割り当てられている。またTest color として示したコマンドによって読み出される内容はレンズの分光特性であつて、レンズを透過する光のＲ、Ｇ、Ｂの比率からＬＲ／Ｇ、ＬＢ／Ｇを示す２バイトのデータから構成されている。また、Test IDとして示したコマンドによって読み出される内容はレンズのメーカ、種類、機能を示すデータであって各々適当に数バイトが割り当てられ全体として７バイトから構成されている。次に第３図に示したコマンド及びデータがカメラ本体２とレンズ１との間でやりとりされる順序について第４図、第５図を用いて説明する。第４図はカメラ本体２のマイクロコンピュータＣ１により実行されるフローチャート、第５図はレンズ１のマイクロコンピュータＬ１により実行されるフローチャートである。まずカメラ本体２の動作が開始し、第４図＃０に示されるステツプからフローが開始されると第４図＃１が実行されて第３図に示したコマンドのうち１つがカメラ本体２からレンズに送信される。一方レンズ１は動作が開始されると第５図＃０に示されるステップからフローが開始され＃１が実行される。第５図＃１に示されるステップはカメラ本体２からレンズ１にコマンドが送信されるか否かを判別し、コマンドが送信されていない際にはループをくり返し、コマンドが送信された際に＃２へ進む。したがってカメラ本体２の動作が開始されて第４図＃１が実行されるとレンズ１のマイクロコンピュータＬ１のフローは送信されるコマンドを受け取って第５図＃１から第５図＃２に進む。レンズ２は第５図＃２において送信されたコマンドが実行可能なコマンドかどうか否かを判別し、実行可能なコマンドであれば第５図＃３へ、実行可能なコマンドでなければ第５図＃４へ進む。ここで第５図＃３はカメラ本体２からレンズ１に送られたコマンドをそのまま（返送コマンド）レンズ１からカメラ本体２へ送信するステップである。」（２頁右下欄５行〜３頁右上欄１９行）
（エ）「レンズ１からカメラ２へ送信されたレンズの分光特性を表すＬＲ／Ｇ、ＬＢ／Ｇのデータは、第１図に示したシステムコントローラ６に送られ、ホワイトバランス用のセンサ５から送られて来るデータＷＲ／Ｇ、ＷＢ／Ｇと加算演算されてＤ／Ａコンバータ７を介してＲアンプ３、Ｂアンプ４のゲインを制御する制御電圧値ＶＢ／Ｇ、ＶＲ／Ｇに変換され、レンズの分光特性も考慮してホワイトバランスの補正が行われる。したがつて本実施例に依ればレンズの分光特性に依らず常に適正にホワイトバランス調整を行うことが出来る。・・・（中略）・・・第７図において６−Ａはレンズ１から送信されたデータＬＲ／Ｇ、ＬＢ／Ｇとホワイトバランス用のセンサ５から送信されたデータＷＲ／Ｇ、ＷＢ／Ｇとを夫々加算する加算回路である。６−Ｂは加算回路６−Ａにて演算されたデータからＲアンプ３，Ｂアンプ４の制御電圧−ゲイン特性を考慮した制御電圧値に相応したデジタル値に変換する変換器である。かかる加算回路６−Ａ、変換器６−Ｂにより前述の様にＲアンプ３，Ｂアンプ４の制御電圧−ゲイン特性を考慮した制御電圧値を得ることが出来る。」（４頁左上欄１行〜左下欄４行）
　
イ．刊行物２：甲第２号証（特開昭６１−２６７４７７号公報）
（ア）「本発明は、カラー撮像信号のホワイトバランスを調整するための調整手段を備えたビデオカメラ及び該ビデオカメラに対して着脱可能な交換レンズに関する。」（２頁左上欄３〜６行）
（イ）「従来、ビデオカメラにおいて、カラー撮像信号のホワイトバランスは一般に使用レンズの分光特性を設定して被写体からの光による色温度情報に基づいて調整されてきた。・・・（中略）・・・しかしながら、従来のレンズ交換可能なビデオカメラでは、使用レンズにより分光特性が異なるので、標準使用レンズで分光特性を設定して被写体からの色温度情報によりホワイトバランスを調整しても、実際に使用する交換レンズによっては標準使用レンズと分光特性が大きく異なり、同じ被写体でもホワイトバランス調整がうまく行えないという欠点があった。本発明は、上述のような欠点を除去し、どのような交換レンズを使用しても完全なホワイトバランス調整が行えることを可能とするレンズ交換可能なビデオカメラ及びこのようなビデオカメラに適した交換レンズを提供することを目的とする。」（２頁左上欄２０行〜右上欄１７行）
（ウ）「第１図は本発明実施例のビデオカメラの本体と交換レンズを示す。ここで、１は交換レンズ、２はカメラ本体側に形成されたマウントである。」（２頁右下欄４〜６行）
（エ）「第３図は上述のカメラ本体のマウント２の内部構成例を示す。第３図に示すように、レンズ１のマウント当接面１Ｂと当接するマウント面２Ａには、レンズ１のマウント装着時に信号ピン１Ａに押圧されて移動する可動ピン３が摺動自在に埋め込まれている。４はその一端に当接した可動ピン３により回動してそのピンの移動量を拡大するためのレバーである。レバー４は回動軸４Ａを中心として回動可能となっており、その端部はバネ５により反時計回りに付勢されており、またその他端部は可動ピン３と当接している。更に、レバー４の軸部には切片４Ｂが取付けられており、この切片４Ｂは本体に固定したコード板６に摺接する。コード板６は切片４Ｂの移動量を電気信号に変換して出力するもので、差動変圧器等も使用できる。以上の構成において、まずレンズ１をカメラのマウント２に装着すると、レンズ１の信号ピン１Ａが可動ピン３を押圧する。可動ピン３は信号ピン１Ａの高さに応じた量だけ押圧され、この可動ピン３に当接するレバー４を押圧する。この結果、レバー４はバネ５の付勢力に逆らって回動軸４Ａを中心として時計回りに回動し、これに伴ないレバーの切片４Ｂもコード板６上を摺動する。従って、分光特性情報である信号ピン１Ａの高さは、切片４Ｂのコード板６上の移動量となって、電気信号に変換され、この電気信号はホワイトバランス調整装置の分光特性情報として供給される。第４図は本発明に適用可能なホワイトバランス調整装置の構成例を示す。ここで、１１はＣＣＤ（電荷結合素子）のような撮像素子、１２は輝度色信号分離回路、１３はプロセス回路、１４はコントロール回路、１５はエンコーダである。被写体像は上述のレンズ１を介して撮像素子１１に入射し、カラー映像信号に変換される。この信号は輝度色信号分離回路１２により、輝度（Ｙ）、赤（Ｒ）、緑（Ｇ）、青（Ｂ）の信号に分離され、この中でＲ信号とＢ信号は増幅率が可変な増幅器１６，１７に入力する。又、Ｒ、Ｂ信号は増幅器１６，１７を介してプロセス回路１３へ供給され、また、Ｙ、Ｇ信号もプロセス回路１３へ供給される。プロセス回路１３で色差信号Ｒ−Ｙ、Ｂ−Ｙ信号を生じ、これらの信号がエンコーダ１５に入力され、エンコーダ１５により例えばＮＴＳＣ方式の映像信号に合成されて出力される。又、コントロール回路１４は不図示のホワイトバランスセットスイッチを含み、カメラを白い被写体に向けてから、このスイッチをＯＮすることにより色差信号が夫々ゼロになるように増幅器１６，１７をコントロールする。又、このスイッチをＯＦＦすることにより、上述のコントロール状態を保持する為の記憶手段もコントロール回路１４内に含まれている。その記憶手段内に記憶されたコントロール信号は上述のコード板６から入力されるレンズの分光特性情報によって補正される。例えば、コントロール回路１４は標準レンズの分光特性に合わせたコントロール信号を形成するよう構成されており、標準レンズよりも赤色透過特性の比較的高い交換レンズを装着した場合には、上述のコントロール信号は増幅器１６のゲインと増幅器１７のゲインの比が相対的に低くなるように補正される。従って、エンコーダ１５の出力信号はレンズ毎の分光特性を加味したホワイトバランスのとれた映像信号となる。尚、本実施例では交換レンズ側の情報伝達手段及びカメラ側の検知手段を機械的な構造としたが、交換レンズ側に光学的なパターンを設けたり、分光特性情報を記憶した記憶手段（例えばＲＯＭ）を設け、これらを情報伝達手段としても良い。」（２頁右下欄１３行〜３頁左下欄２０行）
　
ウ．刊行物３：甲第３号証（特開昭５９−８４２２８号公報）
（ア）「従来、交換レンズ内に交換レンズの種々のデータを固定記憶したＲＯＭを設け、カメラからのアドレスデータに基づいてＲＯＭのアドレスを指定し、ＲＯＭからの記憶データを直列にカメラへ伝達する装置が提案されている。この装置では、交換レンズとカメラの間に、アドレスデータ転送用の接子が必要である。ところで、カメラと交換レンズの電気的な接続端子は信頼性、コストの面でできるだけ少ない方が望ましい。・・・（中略）・・・この発明は、カメラとの電気的な接点をできるだけ少なくした交換レンズを提案することを目的とする。・・・（中略）・・・この発明は、カメラと交換レンズの間の動作の同期をとるためにカメラから交換レンズに送られているクロックパルスを交換レンズ側でカウントし、このカウント値の上位桁の内容に基づいて、交換レンズ自身でＲＯＭのアドレスを指定するとともに、上記カウント値の下位桁の変化に基づいてＲＯＭからの記憶データを１ビットづつ直列にカメラへ伝達することを特徴とする。」（１頁右下欄２行〜３頁左上欄３行）
　
（４） 対比・判断
　本件発明と上記刊行物１乃至３に記載の発明とを対比すると、これら刊行物に記載の発明は、本件発明を特定する事項である、「上記赤色修正データ、緑色修正データ及び青色修正データによつて異常判定手段の基準信号を修正して上記ホワイトバランス調整手段を制御することにより上記ビデオ信号のホワイトバランスを調整させる制御手段を有し、上記ホワイトバランス調整手段は上記信号処理手段のビデオ信号が上記修正された基準信号に基づいて異常になつたときホワイトバランス調整動作を中断する」事項を備えておらず、当該事項により本件請求項１に係る発明は、「交換レンズ部を簡易化でき、かつビデオカメラ本体側の制御手段をすべての交換レンズ部に対して共通に使用できると共に、装着された交換レンズ部によつて生ずるホワイトバランス誤差を、最適なホワイトバランス修正信号によつて修正した映像信号を送出できるようなビデオカメラ装置を容易に実現し得る」という顕著な効果を奏するのであり、本件発明が上記刊行物１乃至３に記載のものから容易に発明をすることができたものとはいえない。
　
（５）申立人の主張
　申立人は、本件発明と甲第１，２号証とはいずれも、「入射光を受ける交換レンズ部と、ビデオカメラ本体と、ビデオカメラ本体に設けられ、交換レンズ部から入射する入射光に応答してビデオ信号を送出する信号処理手段と、信号処理手段の信号に基づいてホワイトバランスを調節するホワイトバランス調整手段とを有するビデオカメラ装置において、ビデオカメラ本体に交換自在に装着できる複数の交換レンズ部は自己のレンズについてのホワイトバランス補正データを記憶するホワイトバランス修正データメモリ手段を有し、ビデオカメラ本体は、複数の交換レンズ部の１つがビデオカメラ本体に装着されたとき、ホワイトバランス修正データメモリ手段に読出しコマンド信号を与えることによりホワイトバランス補正データを読み取つて赤色修正データ及び青色修正データを形成し、赤色修正データ及び青色修正データによつてホワイトバランス調整手段を制御することによりビデオ信号のホワイトバランスを調整させる制御手段を有することを特徴とするビデオカメラ装置。」で一致していると主張している。
　しかしながら、上記（４）に記載のとおり、刊行物には本件発明の構成要件についての記載も示唆もないものであるから、申立人の主張を採用することができない。
　
（６）むすび
　以上のとおりであるから、特許異議申立ての理由及び証拠によっては、本件請求項１に係る特許を取り消すことができない。
　また、他に本件請求項１に係る特許を取り消すべき理由を発見しない。
　したがって、本件発明についての特許は拒絶の査定をしなければならない特許出願に対してされたものと認めない。
　よって、結論のとおり決定する。
【異議決定日】
平成１５年２月２７日（２００３．２．２７）
【訂正の要旨】
（イ）訂正事項ａ
　特許請求の範囲の減縮を目的として、請求項１の前段において、「生成されたホワイトバランス補正信号によつて」を加入する。
（ロ）訂正事項ｂ
　特許請求の範囲の減縮を目的として、請求項１の中段において、「分光特性によるホワイトバランス誤差を修正する」を加入する。
（ハ）訂正事項ｃ
　明りようでない記載の釈明を目的として、請求項１の中段及び後段の２箇所において、「ホワイトバランス補正データ」を、「ホワイトバランス修正データ」と訂正する。
（ニ）訂正事項ｄ
　特許請求の範囲を第５図の実施例の内容に沿つて減縮することを目的として、請求項１の後段において、
（ｄ１）「赤色修正データ及び青色修正データ」を、「赤色修正データ、緑色修正データ及び青色修正データ」と訂正し（２箇所）、
（ｄ２）「上記ホワイトバランス調整手段を制御することにより」の前に、「異常判定手段の基準信号を修正して」を加入し、
（ｄ３）「制御手段を有する」を、「制御手段を有し、」と訂正すると共に、その後に、「上記ホワイトバランス調整手段は上記信号処理手段のビデオ信号が上記修正された基準信号に基づいて異常になつたときホワイトバランス調整動作を中断する」を加入する。
（ホ）訂正事項ｅ
　明りようでない記載の釈明を目的として、訂正事項ａないしｄ及びｈの訂正に伴つて、「Ｅ問題点を解決するための手段」の項及び「Ｆ作用」の項を、次のように訂正する。
「Ｅ問題点を解決するための手段
　かかる問題点を解決するため本発明においては、入射光を受ける交換レンズ部
２８Ｘ
２８Ｘ
生成されたホワイトバランス補正信号によつて
７
５０
２８Ｘ
分光特性によるホワイトバランス誤差を修正する
修正
段２
２８Ｘ
段２
修正
、緑色修正データ
、緑色修正データ
異常判定手段１１２の基準信号を修正して
７
段２
し、ホワイトバランス調整手段７は信号処理手段（１、３、４）のビデオ信号が修正された基準信号に基づいて異常になつたときホワイトバランス調整動作を中断する
Ｆ作用
　ビデオカメラ本体２７に対して複数機種の交換レンズ部
２８Ｘ
２８Ｘ
修正
段２
読み取つて異常判定手段１１２の基準信号を修正すると共に、ホワイトバランス調整手段７は信号処理手段（１、３、４）のビデオ信号が修正された基準信号に基づいて異常になつたときホワイトバランス調整動作を中断する
２８Ｘ
、かつ
２３Ｘ
２８Ｘ
ると共に、
２８Ｘ
修正
修正
５０
（ヘ）訂正事項ｆ
　明りようでない記載の釈明を目的として、訂正事項ａないしｄ及びｈの訂正に伴つて、「Ｈ発明の効果」の項を次のように訂正する。
「Ｈ発明の効果
　上述のように本発明によれば、ビデオカメラ本体に対して複数機種の交換レンズ部を装着するにつき、交換レンズ部を装着したとき、交換レンズ部に設けたホワイトバランス修正データメモリ手段に対して読出しクロツク信号を与えることによりホワイトバランス
修正
つて異常判定手段の基準信号を修正すると共に、ホワイトバランス調整手段は信号処理手段のビデオ信号が修正された基準信号に基づいて異常になつたときホワイトバランス調整動作を中断す
、かつ
ると共に、
修正
修正
（ト）訂正事項ｇ
　明りようでない記載の釈明を目的として、訂正事項ａないしｄ及びｈの訂正に伴つて、「発明の詳細な説明」の項において、特許掲載公報第２頁３欄１６行及び１８行、同第４頁７欄２９行、３０行及び３１行、並びに同第４頁８欄４９行に、「補正」とあるを、「修正」と訂正する。
（チ）訂正事項ｈ
　明りようでない記載の釈明を目的として、請求項１の前段に「調節」とあるを、「調整」と訂正する。
（５４）【発明の名称】
ビデオカメラ装置
（５７）【特許請求の範囲】
　【請求項１】
　入射光を受ける交換レンズ部と、ビデオカメラ本体と、上記ビデオカメラ本体に設けられ、上記交換レンズ部から入射する入射光に応答してビデオ信号を送出する信号処理手段と、上記信号処理手段の信号に基づいて
生成されたホワイトバランス補正信号によつて
整
　上記ビデオカメラ本体に交換自在に装着できる複数の上記交換レンズ部は自己のレンズについての
分光特性によるホワイトバランス誤差を修正するホワイトバランス修正データ
　上記ビデオカメラ本体は、上記複数の交換レンズ部の１つが上記ビデオカメラ本体に装着されたとき、上記ホワイトバランス修正データメモリ手段に読出しクロツク信号を与えることにより上記
ホワイトバランス修正データ
、緑色修正データ
、緑色修正データ
異常判定手段の基準信号を修正して
し、
　
上記ホワイトバランス調整手段は上記信号処理手段のビデオ信号が上記修正された基準信号に基づいて異常になつたときホワイトバランス調整動作を中断する
　ことを特徴とするビデオカメラ装置。
【発明の詳細な説明】
　以下の順序で本発明を説明する。
Ａ産業上の利用分野
Ｂ発明の概要
Ｃ従来の技術（第１２図及び第１３図）
Ｄ発明が解決しようとする問題点（第１２図及び第１３図）
Ｅ問題点を解決するための手段
Ｆ作用
Ｇ実施例
　（Ｇ１）第１実施例（第１図）
　（Ｇ２）第２実施例（第２図）
　（Ｇ３）第３実施例（第３図）
　（Ｇ４）第４実施例（第４図）
　（Ｇ５）第５実施例（第５図）
　（Ｇ６）第６実施例（第６図）
　（Ｇ７）レンズ識別部の具体構成
Ｈ発明の効果
Ａ産業上の利用分野
　本発明はビデオカメラ装置に関し、特に交換レンズを使用するビデオカメラの自動ホワイトバランス調整回路部に適用するものである。
Ｂ発明の概要
　ビデオカメラ本体に対して複数機種の交換レンズ部を装着するにつき、交換レンズ部を装着したとき、交換レンズ部に設けたホワイトバランス
修正
修正
Ｃ従来の技術
　従来この種のビデオカメラシステムにおいては第１に、第１２図に示すように、撮影レンズ系２、撮像素子１（例えばＣＣＤ（ｃｈａｒｇｅ　ｃｏｕｐｌｅｄ　ｄｅｖｉｃｅ）でなる）、増幅回路３及び信号処理回路４でなる撮像系によつて白い被写体を撮像して色信号を得た状態において、当該色信号に含まれるホワイトバランス誤差をフイードバツクループを構成するホワイトバランス調整回路７（以下閉ループ型のホワイトバランス調整回路と呼ぶ）によつて補正するようにしたものがある。
　この閉ループ型のホワイトバランス調整回路７を有するビデオカメラシステム１０においては、撮像素子１が撮影レンズ系２を介して受けた入射光ＬＡ１を映像信号ＳＶに変換して増幅回路３を介して信号処理回路４に与える。信号処理回路４は映像信号ＳＶを赤色信号ＳＲ、緑色信号ＳＧ及び青色信号ＳＢに分離した後、これをそれぞれ増幅回路５Ａ、５Ｂ及び５Ｃを介して出力色信号ＳＲＯ、ＳＧＯ、ＳＢＯとしてマトリクス回路６に送出する。
　マトリクス回路６は、出力色信号ＳＲＯ、ＳＧＯ、ＳＢＯを輝度信号ＳＹ及び色差信号ＳＲ−Ｙ、ＳＢ−Ｙに変換して記録系（図示せず）に送出する。
　ここでホワイトバランス調整回路７は出力色信号ＳＲＯ及びＳＧＯを演算増幅回路７Ａに受けることにより赤色補正信号ＳＣＲを得てこれを内部メモリＭ１を介して増幅回路５Ａに利得制御信号として与えると共に、出力色信号ＳＧＯ及びＳＢＯを演算増幅回路７Ｂに受けて青色補正信号ＳＣＢを得てこれを内部メモリＭ２を介して増幅回路５Ｃに利得制御信号として与え、かくして赤色信号ＳＲ及び青色信号ＳＢに基づいて出力色信号ＳＲＯ及びＳＢＯをフイードバツク制御するようになされている。
　第１２図の閉ループ型のホワイトバランス調整回路７を有するビデオカメラシステム１０において、撮影者は撮影レンズ系２によつて例えばいわゆるホワイトレンズキヤツプや、白い紙等の白い被写体を撮影することにより信号処理回路４から得た赤色信号ＳＲ、緑色信号ＳＧ及び青色信号ＳＢに基づいて増幅回路５Ａ、５Ｂ、及び５Ｃから得られる出力色信号ＳＲＯ、ＳＧＯ及びＳＢＯのホワイトバランスに誤差があるとき、ホワイトバランス調整回路７はその誤差を打ち消すような赤色補正信号ＳＣＲ及び青色補正信号ＳＣＢを形成して内部メモリＭ１及びＭ２に格納すると共に、当該内部メモリＭ１及びＭ２に格納された赤色及び青色補正信号ＳＣＲ及びＳＣＢを必要に応じて読み出して増幅回路５Ａ及び５Ｃの利得を制御できるようになされている。
　かくして予めホワイトバランスの調整をした後、撮影者が任意の被写体を撮影する際に、ホワイトバランス調整回路７は内部メモリＭ１及びＭ２に格納されている赤色及び青色補正信号ＳＣＲ及びＳＣＢを用いて赤色及び青色信号ＳＲ及びＳＢを補正することにより、ホワイトバランスがとれた出力色信号ＳＲＯ、ＳＧＯ、ＳＢＯを生じさせる。
　また従来のビデオカメラシステムとして第２に、第１３図に示すように、外部センサ１１及び利得制御回路部１２で構成される補正信号形成回路を撮影系とは別個に設け、白色拡散板１４を通つた白色光に基づいて補正信号ＳＴＲ及びＳＴＢを形成し、この補正信号ＳＴＲ及びＳＴＢによつて撮像系から得た色信号のホワイトバランス誤差を補正するようにしたホワイトバランス調整回路１３（以下開ループ型のホワイトバランス調整回路と呼ぶ）を設けたものがある。
　当該開ループ型のホワイトバランス調整回路１３を有する第１３図の従来のビデオカメラシステム２０においては、撮影レンズ系２、撮像素子１、増幅回路３及び信号処理回路４でなる撮像系に対して、白色拡散板１４及びホワイトバランス調整回路１３でホワイトバランス調整系を形成する。
　ホワイトバランス調整回路１３は、ビデオカメラとは別個に設けられた白色拡散板１４を通じて拡散された白色光を赤色成分センサ部１１Ｒ、緑色成分センサ部１１Ｇ及び青色成分センサ部１１Ｂに受光して赤色検出信号ＳＷＲ、緑色検出信号ＳＷＧ及び青色検出信号ＳＷＢに変換して利得制御回路部１２に与える。
　利得制御回路部１２はそれぞれ演算増幅器１５Ａ及び１５Ｂと、抵抗Ｒ１及びＲ２とでなる反転増幅回路構成の第１及び第２の利得制御回路１２Ａ及び１２Ｂとで構成され、第１の利得制御回路１２Ａは、演算増幅器１５Ａの反転入力端に入力された赤色検出信号ＳＷＲと非反転入力端に入力された緑色検出信号ＳＷＧとの差信号でなる赤色補正信号ＳＴＲを得て増幅回路５Ａを利得制御するようになされている。
　同様にして第２の利得制御回路１２Ｂは、演算増幅器１５Ｂの反転入力端に入力された青色検出信号ＳＷＢと、非反転入力端に入力された緑色検出信号ＳＷＧとの差信号でなる青色補正信号ＳＴＢを得て増幅回路５Ｃを利得制御するようになされている。
　このようにすれば、撮像系に対して別個に設けられたホワイトバランス調整回路１３において、白色拡散板１４に基づいて赤色補正信号ＳＴＲ及び青色補正信号ＳＴＢを得るようにしたことにより、例えば照明が変更された場合などのような撮影条件の変動に対して常にホワイトバランスを調整することができると共に、撮影者が撮影前に煩雑なホワイトバランス調整操作をしないでも良いようにできる（米国特許第４、６４６、１６１号、実開昭６１−１９８２号公報）。
Ｄ発明が解決しようとする問題点
　ところが第１３図の開ループ型のホワイトバランス調整回路１３を有するビデオカメラシステム２０においては、外部センサによつて白色光を受光するようになされているので、撮影レンズ系２をレンズ交換した場合には、レンズの分光特性が変化することにより撮影映像のホワイトバランスに誤差が生じてもこれを補正できない問題があつた。
　例えばレンズ交換式のビデオカメラシステムにおいては、使用するレンズによつて分光特性が異なることにより、ホワイトバランス調整回路１３において得られる赤色及び青色補正信号ＳＴＲ及びＳＴＢが、実際にレンズを介して得られた映像信号ＳＶのホワイトバランス誤差を実用上適性な程度にまで補正し得なくなるおそれがある。
　また第１２図の閉ループ型のホワイトバランス調整回路７を有するビデオカメラシステム１０においては、ホワイトバランス調整回路７の制御範囲を超えるような分光特性を有する交換レンズを使用した場合には、適性なホワイトバランス調整ができなくなる問題があつた。
　本発明は以上の点を考慮してなされたもので、分光特性の異なる交換レンズを使用した場合でも、常に適性なホワイトバランス調整をなし得るようにしたビデオカメラシステムを提案しようとするもである。
Ｅ問題点を解決するための手段
　かかる問題点を解決するため本発明においては、入射光を受ける交換レンズ部
２８Ｘ
２８Ｘ
生成されたホワイトバランス補正信号によつて
整
７
５０
２８Ｘ
分光特性によるホワイトバランス誤差を修正する
修正
段２
２８Ｘ
段２
修正
、緑色修正データ
、緑色修正データ
異常判定手段１１２の基準信号を修正して
７
段２
し、ホワイトバランス調整手段７は信号処理手段（１、３、４）のビデオ信号が修正された基準信号に基づいて異常になつたときホワイトバランス調整動作を中断する
Ｆ作用
　ビデオカメラ本体２７に対して複数機種の交換レンズ部
２８Ｘ
２８Ｘ
修正
段２
読み取つて異常判定手段１１２の基準信号を修正すると共に、ホワイトバランス調整手段７は信号処理手段（１、３、４）のビデオ信号が修正された基準信号に基づいて異常になつたときホワイトバランス調整動作を中断する
２８Ｘ
、かつ
２３Ｘ
２８Ｘ
ると共に、
２８Ｘ
修正
修正
５０
Ｇ実施例
　以下図面について、本発明の一実施例を詳述する。
（Ｇ１）第１実施例
　第１３図との対応部分に同一符号を付して示す第１図において、３０は全体としてレンズ交換方式のビデオカメラシステムを示し、交換レンズ部２８は撮影レンズ系２のレンズに対応して設けられたホワイトバランス修正データメモリ部２２を搭載している。このメモリ部２２は、ＲＯＭ（ｒｅａｄ　ｏｎｌｙ　ｍｅｍｏｒｙ）で構成され、レンズ固有の分光特性によるホワイトバランス誤差を修正するホワイトバランス修正データＳＩを予め格納している。
　このホワイトバランス修正データＳＩは交換レンズ部２８がビデオカメラ本体２７に装着されたとき、ホワイトバランス修正回路２１の制御回路２３（マイクロコンピユータで構成されている）から与えられるクロツク信号ＣＫに同期して読み出される。
　制御回路２３は読み出したホワイトバランス修正データＳＩに基づいて赤色及び青色修正データＤ１及びＤ２を形成し、それぞれデイジタル／アナログ変換回路２５及び２６を介して赤色及び青色補正信号ＳＴＲ及びＳＴＢの伝送路に介挿された加算回路２９Ａ及び２９Ｂに供給する。
　第１図の構成によれば、交換レンズ部２８が交換されたとき、交換レンズ部２８のホワイトバランス修正データメモリ部２２に格納されたホワイトバランス修正データＳＩがホワイトバランス修正回路２１を介してホワイトバランス調整回路１３の利得制御回路１２Ａ及び１２Ｂから得られる赤色及び青色補正信号ＳＴＲ及びＳＴＢに加算され、これにより交換レンズ固有の分光特性に応じて、適性なホワイトバランス調整を受けた出力色信号ＳＲＯ、ＳＧＯ及びＳＢＯを得ることができる。
（Ｇ２）第２実施例
　第２図は第２実施例を示すもので、第１図について上述した第１実施例のうち対応する部分に同一符号を付して示すと共に、変更する要部について図示したもので、この場合ビデオカメラ本体２７側にホワイトバランス修正データメモリ部４０を搭載し、これにビデオカメラ本体２７に装着し得る全ての機種の交換レンズ部２８についてのホワイトバランス修正データを予め格納しておく。
　これに加えて各交換レンズ部２８側にはレンズ識別部４１が搭載され、当該レンズ識別部４１からレンズ識別信号ＩＤをビデオカメラ本体２７側に搭載されたホワイトバランス修正データメモリ部４０に供給するようになされている。
　第２図の構成において、撮影者が必要に応じて選択した交換レンズ部２８をビデオカメラ本体２７に装着したとき、交換レンズ部２８側に搭載されているレンズ識別部４１からレンズ識別信号ＩＤがビデオカメラ本体２７側に搭載されたホワイトバランス修正データメモリ部４０に読出制御信号として与えられる。
　このときホワイトバランス修正データメモリ部４０はレンズ識別信号ＩＤによつて指定されたホワイトバランス修正データを赤色及び青色修正データＤ１及びＤ２としてデイジタル／アナログ変換回路２５及び２６を介して加算回路２９Ａ及び２９Ｂに送出し、かくして赤色及び青色補正信号ＳＴＲ及びＳＴＢに対して現在ビデオカメラ本体２７に装着されている交換レンズ部２８に固有のホワイトバランス調整をすることができる。
（Ｇ３）第３実施例
　第３図は第３実施例を示すもので、この構成は閉ループ型のホワイトバランス調整回路に適用される。
　第１２図との対応部分に同一符号を付して示すように、第３図のビデオカメラシステム４０は交換レンズ部２８Ｘ側に、例えばＲＯＭ構成のホワイトバランス修正データメモリ部２２Ｘを搭載し、このメモリ部２２Ｘにレンズ固有の分光特性及び当該固有の分光特性に基づいて生ずる色再現性についての特性を含めて
修正
修正
　このホワイトバランス
修正
　第３図の構成によれば、交換レンズ部２８Ｘが交換されたとき当該交換レンズ部２８Ｘがもつている固有のホワイトバランス誤差を色再現性についての特性を含めて確実に調整できる。
（Ｇ４）第４実施例
　第４図は第４実施例を示すもので、第３図のビデオカメラシステム４０において赤色及び青色修正データＤ１Ｘ及びＤ２Ｘを得る構成部分として第２図の第２実施例について上述したと同様に、レンズ識別部４１Ｘと、そのレンズ識別信号ＩＤＸをアドレス信号として受けるホワイトバランス修正データメモリ部４０Ｘとを用いるようになされている。
　第４図の構成によれば、ビデオカメラ本体２７に交換レンズ部２８Ｘを装着したとき、レンズ識別部４１Ｘからホワイトバランス修正データメモリ部４０Ｘにレンズ識別信号ＩＤＸがホワイトバランス修正データ選択信号として与えられることにより、自動的に装着された交換レンズ部２８Ｘの固有のホワイトバランス誤差を自動的に修正することができる。
（Ｇ５）第５実施例
　第５図は第５実施例を示すもので、この場合閉ループ型のホワイトバランス調整回路７においてホワイトバランス調整操作時に撮影レンズによつてホワイトレンズキヤツプ等の基準となる白い被写体を撮影せずに、自動的に白信号を得ることができるようにしたいわゆる全自動ホワイトバランス調整回路を示したものである。
　この実施例の場合、ホワイトバランス調整回路７は出力色信号ＳＲＯ、ＳＧＯ及びＳＢＯを平均値演算回路１０８Ｒ、１０８Ｇ及び１０８Ｂに受けて例えば６フイールド分の映像信号に相当する期間の間に増幅回路５Ａ、５Ｂ及び５Ｃから送出される出力色信号ＳＲＯ、ＳＧＯ及びＳＢＯの平均値でなる平均値出力ＳＡＶＲ、ＳＡＶＧ及びＳＡＶＢを求めて演算増幅回路７Ａ及び７Ｂに入力する。
　かくして演算増幅回路７Ａ及び７Ｂから得られる赤色及び青色補正信号ＳＣＲ及びＳＣＢはスイツチ回路ＳＷ１を介して内部メモリＭ１及びＭ２に入力される。
　このようにして赤色及び青色の出力色信号ＳＲＯ及びＳＢＯに基づいて得られる平均値出力ＳＡＶＲ及びＳＡＶＢが緑色の平均値出力ＳＡＶＧと等しくないとき、これを等しくするような赤色及び青色補正信号ＳＣＲ及びＳＣＢが内部メモリＭ１及びＭ２から送出されることにより、出力色信号ＳＲＯ、ＳＧＯ及びＳＢＯのホワイトバランスを自動的に調整することができる。
　かかる構成に加えて平均値出力ＳＡＶＲ、ＳＡＶＧ及びＳＡＶＢは比較回路１１１Ｒ、１１１Ｇ及び１１１Ｂにおいて基準電圧源１１３Ｒ、１１３Ｇ及び１１３Ｂから与えられる基準電圧ＥＲ、ＥＧ及びＥＢと比較され、その比較出力ＳＣＯＭＲ、ＳＣＯＭＧ及びＳＣＯＭＢが異常判定回路１１２に供給される。
　異常判定回路１１２は入射光ＬＡ１のホワイトバランスが異常か否かを判断するもので、例えば赤色成分、緑色成分及び青色成分のうちの１色が他に比べて異常に多い場合、又は少ない場合や、平均値出力ＳＡＶＲ、ＳＡＶＧ及びＳＡＶＢが基準電圧ＥＲ、ＥＧ及びＥＢと比較して異常に高くなり、又は低くなつたような場合に、これを異常と判定して異常判定信号ＳＳＴをスイツチ回路ＳＷ１に供給することによりこれをオフ動作させる。
　かくして異常が発生したときホワイトバランス調整回路７のホワイトバランス動作を自動的に中断するようになされている。
　交換レンズ部２８Ｘにはホワイトバランス修正データメモリ部２２Ｘが搭載され、当該ホワイトバランス
修正
　制御回路２３Ｘは、読み出したホワイトバランス修正データＳＩＸに基づいて、赤色修正データＤ１１Ｘ、緑色修正データＤ１０Ｘ及び青色修正データＤ１２Ｘを形成してそれぞれデイジタル／アナログ変換回路１１４Ｒ、１１４Ｇ及び１１４Ｂを介して基準電圧ＥＲ、ＥＧ及びＥＢを比較回路１１１Ｒ、１１１Ｇ及び１１１Ｂに供給するループに介挿された加算回路１１５Ｒ、１１５Ｇ及び１１５Ｂに供給される。
　第５図の構成によれば、平均値出力ＳＡＶＲ、ＳＡＶＧ及びＳＡＶＢの異常を検出するために用いられる基準電圧ＥＲ、ＥＧ及びＥＢがそれぞれ赤色、緑色及び青色修正データＤ１１Ｘ、Ｄ１０Ｘ及びＤ１２Ｘによつて交換レンズ部２８Ｘに固有の修正量だけ修正されることにより、異常判定回路１１２は交換レンズ部２８Ｘが交換されるごとにこれに適応するように判定基準を修正することができ、かくして出力色信号ＳＲＯ、ＳＧＯ及びＳＢＯを常に自動的に正しくホワイトバランス調整することができるようなビデオカメラシステムを実現できる。
（Ｇ６）第６実施例
　第６図は第６実施例を示すもので、第５図のホワイトバランス修正データメモリ部２２Ｘ及び制御回路２３Ｘの構成に代え、第４図の第４実施例について上述したと同様にして交換レンズ部２８Ｘ側にレンズ識別部４１Ｘを搭載すると共に、そのレンズ識別信号ＩＤＸをビデオカメラ本体２７側に搭載したホワイトバランス修正データメモリ部４０Ｘに取り込むことにより、赤色、緑色及び青色修正データＤ１１Ｘ、Ｄ１０Ｘ及びＤ１２Ｘを得るようにする。
　第６図の構成によれば、交換レンズ部２８Ｘを交換したときこれに応じて赤色、緑色及び青色修正データＤ１１Ｘ、Ｄ１０Ｘ及びＤ１２Ｘを現在装着されている交換レンズ部２８Ｘに固有のデータとして得ることができることにより、第５図について上述したと同様の効果を得ることができる。
（Ｇ７）レンズ識別部の具体構成
　第２図、第４図及び第６図について上述した実施例の場合、交換レンズ部２８Ｘ側にレンズ識別部４１又は４１Ｘを搭載し、そのレンズ識別信号ＩＤ又はＩＤＸによつてビデオカメラ本体２７側に搭載されたホワイトバランス修正データメモリ部４０又は４０Ｘの対応するホワイトバランス修正データＤ１、Ｄ２又はＤ１Ｘ、Ｄ２Ｘを読み出すようになされているが、当該レンズ識別部４１又は４１Ｘとして以下に述べるような構成のものを適用し得る。
　第１に、第７図に示すレンズ識別部４１又は４１Ｘは機械的構成によつて装着された交換レンズ部２８又は２８Ｘの種別を識別するようにしたもので、交換レンズ部２８又は２８Ｘのビデオカメラ本体側背面に第８図に示すように、矢印Ａの方向に回動自在の嵌合板７１が用いられる。
　嵌合板７１は中央部に突起７１Ａを有し、この突起７１Ａをビデオカメラ本体２７の筐体に設けられた嵌合孔（図示せず）に差し込んだ状態で嵌合板７１を矢印Ａの方向に１８０°回動させることにより突起７１Ａが破線図示の位置７１Ａ′に回動したとき嵌合板７１がカメラ本体の筐体に装着保持される。
　嵌合板７１の表面には同一半径位置に所定の角間隔を保つて４つの透孔７２Ａ、７３Ａ、７４Ａ及び７５Ａが穿設されており、嵌合板７１の突起７１Ａが回動位置７１Ａ′に回動されたとき、ビデオカメラ本体２７から突出するように設けられたばね接点７２Ｂ、７３Ｂ、７４Ｂ及び７５Ｂ（第７図）がそれぞれ透孔７２Ａ、７３Ａ、７４Ａ及び７５Ａに落ち込むようになされている。
　透孔７２Ａ、７３Ａ、７４Ａ及び７５Ａ相互間には、当該交換レンズ部２８又は２８Ｘの機種を表す例えば導電性パターン（嵌合板７１の裏面に形成されている）によつて必要に応じて互いに電気的に接続されており、当該電気的に接続されている透孔に落ち込んだばね接点間に電気的な導通状態を得るようになされている。
　第７図の実施例の場合透孔７２Ａ及び７５Ａが配線パターン７１Ｂによつて電気的に接続されており、これによりばね接点７２Ｂ及び７５Ｂが導通状態になり、この導通状態がレンズ識別信号ＩＤＸとして検出回路７６に供給されることにより検出信号ＳＩＤＸを送出する。
　この実施例の場合ばね接点７５Ｂが接地され、これにより他のばね接点７２Ｂ、又は７３Ｂ、又は７４Ｂのいずれか１つにアース電位が発生したとき、これを現在装着された交換レンズ部２８又は２８Ｘの機種を表すレンズ識別信号ＩＤＸとして検出回路７６に取り込むようになされている。
　レンズ識別部４１又は４１Ｘとして第２に、第９図に示すようなバーコード読取方式のものを適用し得る。
　この実施例の場合嵌合板７１は、第１０図に示すように、ビデオカメラ本体２７側の表面にバーコードプレート８１が設けられている。
　このバーコードプレート８１は交換レンズ部２８又は２８Ｘの機種を表すバーコードパターンを有し、当該バーコードパターンをレンズ識別信号ＩＤＸとしてバーコード読取器８２によつて読み取らせて検出信号ＳＩＤＸを送出させる。
　第９図及び第１０図の構成によれば、装着された交換レンズ部２８又は２８Ｘの機種をバーコードパターンによつてビデオカメラ本体２７側に確実に読み取らせることができる。
　レンズ識別部４１又は４１Ｘとして第３に、第１１図に示すように、デイジタルデータ伝送方式のものを適用し得る。
　この場合交換レンズ部２８又は２８Ｘは当該交換レンズ部２８又は２８Ｘの機種を表すレンズ識別データを記憶するレンズ識別データメモリ９１を有し、交換レンズ部２８又は２８Ｘがビデオカメラ本体２７に装着されたときビデオカメラ本体２７側に搭載されている制御回路９２からレンズ識別信号ＩＤＸとして与えられる読出クロツク信号ＣＫＩＤＸによつて当該レンズ識別データＤＩＤＸを読み出してこれをレンズ識別信号ＩＤＸとして制御回路９２に取り込ませることにより当該制御回路９２から検出信号ＳＩＤＸを送出させるようになされている。
　第１１図のように構成しても、交換レンズ部２８又は２８Ｘから確実にレンズ固有のレンズ識別信号をビデオカメラ本体２７側に取り込むことができる。
Ｈ発明の効果
　上述のように本発明によれば、ビデオカメラ本体に対して複数機種の交換レンズ部を装着するにつき、交換レンズ部を装着したとき、交換レンズ部に設けたホワイトバランス修正データメモリ手段に対して読出しクロツク信号を与えることによりホワイトバランス
修正
つて異常判定手段の基準信号を修正すると共に、ホワイトバランス調整手段は信号処理手段のビデオ信号が修正された基準信号に基づいて異常になつたときホワイトバランス調整動作を中断させ
、かつ
ると共に、
修正
修正
【図面の簡単な説明】
　第１図は本発明によるビデオカメラシステムを示すブロツク図、第２図ないし第６図は他の実施例を示すブロツク図、第７図ないし第１１図はレンズ識別部の具体構成を示す略線図、第１２図及び第１３図は従来のビデオカメラシステムを示すブロツク図である。
　１３……ホワイトバランス調整回路、２１……ホワイトバランス修正回路、２２、２２Ｘ……ホワイトバランス修正データメモリ部、２３、２３Ｘ……制御回路、２８、２８Ｘ……交換レンズ部、３０、４０、５０……ビデオカメラシステム、４０、４０Ｘ……ホワイトバランス修正データメモリ部、４１、４１Ｘ……レンズ識別部。